(57)【要約】【課題】スピーカからの音波を受けて防塵シートが振動したとしても異音が発生せず、然も組立工程の作業性が良好な携帯型電子機器のスピーカ取り付け構造を提供する。【解決手段】本発明に係る携帯型電子機器のスピーカ取り付け構造においては、キャビネット半体４の内面に形成されたスピーカ設置面４１に、１或いは複数の放音孔４４が開設され、該スピーカ設置面４１には、防塵ネット８４が外周部をキャビネット半体４の内面に貼着されて配置され、該防塵ネット８４に対向させて、スピーカ８が取り付けられている。キャビネット半体４のスピーカ設置面４１の中央部には複数の凸部４３が形成され、これによってスピーカ設置面４１と防塵ネット８４の間に空隙Ｃが設けられている。【選択図】      図７
2004180073.tif 000002
【特許請求の範囲】
【請求項１】
キャビネットの内面に形成されたスピーカ設置面（４１）に、１或いは複数の放音孔（４４）が開設され、該スピーカ設置面（４１）には、防塵ネット（８４）が外周部をキャビネット内面に接合されて配置され、該防塵ネット（８４）に対向させて、スピーカ（８）が取り付けられている携帯型電子機器のスピーカ取り付け構造において、キャビネットのスピーカ設置面（４１）と防塵ネット（８４）の間には、スピーカ（８）の鳴動に伴って振動する防塵ネット（８４）の中央部に対してスピーカ設置面（４１）を非接触に保つための空隙Ｃが設けられていることを特徴とする携帯型電子機器のスピーカ取り付け構造。
【請求項２】
キャビネットのスピーカ設置面（４１）には、防塵ネット（８４）の貼着面よりもスピーカ（８）側に突出する１或いは複数の凸部（４３）が形成され、該凸部（４３）によって防塵ネット（８４）の中央部がスピーカ設置面（４１）から持ち上げられて、該中央部とスピーカ設置面（４１）との間に前記空隙Ｃが形成されている請求項１に記載のスピーカ取り付け構造。
【発明の詳細な説明】
【０００１】
【発明の属する技術分野】
本発明は、携帯電話機などの携帯可能な電子機器に搭載されるスピーカの取り付け構造に関するものである。
【０００２】
【従来の技術】
近年、携帯電話機においては、益々小型化、薄型化が進んでいるが、この様な携帯電話機においても、高い音質で音を発生させるスピーカが開発されており、スピーカの能力を最大限に発揮させることの出来るスピーカ取り付け構造が要求されている。
【０００３】
従来の携帯電話機のスピーカ取り付け構造においては、図８に示す如く、キャビネット半体（９）の内面にスピーカ設置面（９１）が形成されており、該スピーカ設置面（９１）には、図９に示す如く、スピーカ（８）から発生する音波を通過させるための複数の放音孔（９４）が、スピーカ設置面（９１）の中央部を貫通して形成されると共に、該放音孔（９４）を包囲して、防塵ネット（８４）をスピーカ設置面（９１）に貼着するための接着面（９５）が設けられている。
【０００４】
キャビネット半体（９）に対するスピーカ（８）の取り付け工程においては、図８及び図１０に示す如く、先ず防塵ネット（８４）の外周部をスピーカ設置面（９１）の接着面（９５）に接着して、防塵ネット（８４）をスピーカ設置面（９１）に固定する。これによって、キャビネット半体（９）の放音孔（９４）は防塵ネット（８４）により覆われることになる。その後、防塵ネット（８４）の上に、リング状クッション（８３）を介してスピーカ（８）を設置し、該スピーカ（８）をキャビネット半体（９）に固定する（特許文献１参照）。
【０００５】
尚、防塵ネットは、防塵及び防水のためのメッシュ構造を有しているが、近年のスピーカ性能の向上に伴う高磁力化による磁性分の吸着に対して十分な防塵性能を発揮させるべく、防塵ネットのメッシュは極めて細かくなってきている。例えば、直径が１５ｍｍ〜１８ｍｍ程度のスピーカにおいては、メッシュのオープニング径が５５μｍ以下の防塵ネットが採用されている。
【０００６】
【特許文献１】
特開平１１−４４９３号公報
【０００７】
【発明が解決しようとする課題】
しかしながら、図８に示す上記特許文献１の携帯電話機のスピーカ取り付け構造においては、上述の如くメッシュの細かい防塵ネット（８４）を採用した場合、防塵ネット（８４）が、スピーカ（８）からの音波を受けて、メッシュの密度に応じた特定の周波数帯域（６００Ｈｚ〜１２００Ｈｚ）で振動し、これに伴って防塵シート（８４）がスピーカ設置面（９１）に衝突して、異音が発生する問題があった。
【０００８】
上記異音の発生を回避するためには、キャビネット半体（９）のスピーカ設置面（９１）の放音孔（９４）の近傍位置まで防塵シート（８４）を貼着することが有効であるが、放音孔（９４）の輪郭に沿って接着剤を塗布することは技術的に困難であり、組立工程の作業性が悪化するばかりでなく、放音孔（９４）に接着剤がはみ出して、放音孔（９４）を塞いでしまう虞がある。
【０００９】
そこで本発明の目的は、スピーカからの音波を受けて防塵シートが振動したとしても異音が発生することがなく、然も組立工程の作業性が良好な携帯型電子機器のスピーカ取り付け構造を提供することである。
【００１０】
【課題を解決する為の手段】
本発明に係る携帯型電子機器のスピーカ取り付け構造においては、キャビネットの内面に形成されたスピーカ設置面（４１）に、１或いは複数の放音孔（４４）が開設され、該スピーカ設置面（４１）には、防塵ネット（８４）が外周部をキャビネット内面に接合されて配置され、該防塵ネット（８４）に対向させて、スピーカ（８）が取り付けられている。
キャビネットのスピーカ設置面（４１）と防塵ネット（８４）の間には、スピーカ（８）の鳴動に伴って振動する防塵ネット（８４）の中央部に対してスピーカ設置面（４１）を非接触に保つための空隙Ｃが設けられている。
【００１１】
上記本発明の携帯型電子機器のスピーカ取り付け構造においては、スピーカ（８）から発生する音波を受けて防塵ネット（８４）が振動した場合、該防塵ネット（８４）は、中央部にて最大振幅を発生するが、該中央部とスピーカ設置面（４１）との間には空隙Ｃが形成されているので、防塵ネット（８４）が振動に伴ってスピーカ設置面（４１）に衝突することはない。
【００１２】
又、上記本発明の携帯型電子機器のスピーカ取り付け構造においては、防塵ネット（８４）の外周部のみをキャビネットの内面に接合すればよいので、従来の如く、スピーカ設置面（４１）の放音孔（４４）の輪郭に沿って接着剤を塗布する必要がなく、これによって、組立工程の作業性が改善されるばかりでなく、接着剤のはみ出しにより放音孔（４４）が塞がれることはない。
【００１３】
具体的構成においては、キャビネットのスピーカ設置面（４１）には、防塵ネット（８４）の貼着面よりもスピーカ（８）側に突出する１或いは複数の凸部（４３）が形成され、該凸部（４３）によって防塵ネット（８４）の中央部がスピーカ設置面（４１）から持ち上げられて、該中央部とスピーカ設置面（４１）との間に前記空隙Ｃが形成されている。
【００１４】
該具体的構成において、防塵ネット（８４）は、キャビネット内面に接合された外周部と凸部（４３）によって支持された部分とを固定端として、中央部が振動する。ここで、凸部（４３）をスピーカ設置面（４１）上の最も適切な位置に形成することによって、防塵ネット（８４）の振幅を最小化することが出来、これに伴って凸部（４３）の高さを低く形成することが可能である。これによって、防塵ネット（８４）に皺が寄ることを防止することが出来る。
【００１５】
【発明の効果】
本発明に係る携帯型電子機器のスピーカ取り付け構造によれば、スピーカの鳴動に伴う異音の発生を防止することが出来ると共に、組立工程の作業性を改善することが出来る。
【００１６】
【発明の実施の形態】
以下、本発明を折り畳み式携帯電話機に実施した形態につき、図面に沿って具体的に説明する。
本発明に係る折り畳み式携帯電話機は、図１に示す如く、操作側キャビネット（１）と表示側キャビネット（２）をヒンジ機構（３）を介して互いに連結して構成されている。操作側キャビネット（１）は、背面キャビネット半体（４）と前面キャビネット半体（５）とを接合して構成され、該操作側キャビネット（１）に複数の操作キー（１１）が配列されると共に、送話部（１２）が設けられている。又、表示側キャビネット（２）は、前面キャビネット半体（６）と背面キャビネット半体（７）を接合して構成され、該表示側キャビネット（２）にメインディスプレイ（２１）が配備されると共に、受話部（２２）が設けられている。
又、図２に示す如く、操作側キャビネット（１）の背面には、電池蓋（１４）が取り付けられており、該電池蓋（１４）の上方部にはスピーカ放音部（１３）が形成されている。一方、表示側キャビネット（２）の背面には、サブディスプレイ（２３）とＣＣＤカメラ（２４）が配備されている。
【００１７】
図３に示す如く、操作側キャビネット（１）の背面キャビネット半体（４）には、前記スピーカ放音部（１３）の内面に、着信報知用のスピーカ（８）を設置するためのスピーカ設置面（４１）が形成されている。該スピーカ設置面（４１）には、キャビネット外部からの塵や水の侵入を防ぐための防塵ネット（８４）が設置され、該防塵ネット（８４）上に、リング状クッション（８３）を介してスピーカ（８）が設置される。
【００１８】
図４及び図５に示す如く、背面キャビネット（４）のスピーカ設置面（４１）には、スピーカ（８）から発生する音波を通過させるための複数の放音孔（４４）が、スピーカ設置面（４１）の中央部を貫通して開設されている。又、スピーカ設置面（４１）の外周部には、防塵ネット（８４）の外周部を貼着するための接着面（４５）が形成されている。
更に、図５及び図６に示す如く、背面キャビネット（４）のスピーカ設置面（４１）の中央部には、中心位置の放音孔（４４）の周囲４箇所にそれぞれ０．２ｍｍ〜０．５ｍｍの高さを有する凸部（４３）が形成されている。
【００１９】
背面キャビネット半体（４）にスピーカ（８）を取り付ける工程においては、図７に示す如く、先ず防塵ネット（８４）の外周部をスピーカ設置面（４１）の接着面（４５）に接着して、防塵ネット（８４）をスピーカ設置面（４１）に固定する。これによって、防塵ネット（８４）は、中央部がスピーカ設置面（４１）の凸部（４３）によって突き上げられ、該防塵ネット（８４）の中心部はスピーカ設置面（４１）から持ち上げられる。この結果、防塵ネット（８４）とスピーカ設置面（４１）との間は、凸部（４３）の高さに応じた空隙Ｃが形成されることになる。
その後、防塵ネット（８４）の上にリング状クッション（８３）を介してスピーカ（８）を設置し、該スピーカ（８）を周知の係止構造によってキャビネット半体（４）に固定する。
【００２０】
上記本発明の折り畳み式携帯電話機においては、スピーカ（８）から発生する音波を受けて防塵ネット（８４）が振動した場合、該防塵ネット（８４）は中央部にて最大振幅を発生するが、該中央部とスピーカ設置面（４１）との間には前記空隙Ｃが設けられているので、防塵ネット（８４）が振動に伴ってスピーカ設置面（４１）に衝突することはない。これによって、スピーカ鳴動時の異音の発生が防止される。
【００２１】
又、上記本発明の折り畳み式携帯電話機のスピーカ取り付け構造によれば、防塵ネット（８４）の外周部のみを背面キャビネット半体（４）の内面に貼着すればよいので、従来の如く、スピーカ設置面（４１）の放音孔（４４）の輪郭に沿って接着剤を塗布する必要がなく、これによって、組立工程の作業性が改善されるばかりでなく、接着剤のはみ出しにより放音孔（４４）が塞がれることはない。
【００２２】
尚、本発明の各部構成は上記実施の形態に限らず、特許請求の範囲に記載の技術的範囲内で種々の変形が可能である。例えば、背面キャビネット半体（４）のスピーカ設置面（４１）に凸部（４３）を形成する構成に限らず、スピーカ設置面（４１）の中央部に凹部を形成することによって、防塵ネット（８４）とスピーカ設置面（４１）の間に空隙を形成する構成も採用可能である。
又、複数の凸部（４３）に代えて、スピーカ設置面（４１）の中央部の放音孔（４４）を包囲してリング状の凸条部を形成した構成によっても、上記実施例と同等の効果が得られる。
【図面の簡単な説明】
【図１】本発明に係る折り畳み式携帯電話機の斜視図である。
【図２】該折り畳み式携帯電話機を裏返して示す斜視図である。
【図３】操作側キャビネットの背面キャビネット半体の内部構造を示す分解斜視図である。
【図４】背面キャビネット半体の要部を示す拡大斜視図である。
【図５】同上の平面図である。
【図６】図５のＡ−Ａ線に沿う断面図である。
【図７】スピーカ設置面にスピーカを設置した状態を示す断面図である。
【図８】従来の携帯電話機におけるキャビネット半体の内部構造を示す分解斜視図である。
【図９】該携帯電話機のキャビネット半体の要部を拡大して示す平面図である。
【図１０】該携帯電話機のスピーカ設置面にスピーカが設置されている状態を示す断面図である。
【符号の説明】
（１）  操作側キャビネット
（１３）  スピーカ放音部
（２）  表示側キャビネット
（３）  ヒンジ機構
（４）  背面キャビネット半体
（４１）  スピーカ設置面
（４３）  凸部
（４４）  放音孔
（４５）  接着面
（５）  前面キャビネット半体
（６）  前面キャビネット半体
（７）  背面キャビネット半体
（８）  スピーカ
（８３）  リング状クッション
（８４）  防塵ネット
【図１】
2004180073.tif 000003
【図２】
2004180073.tif 000004
【図３】
2004180073.tif 000005
【図４】
2004180073.tif 000006
【図５】
2004180073.tif 000007
【図６】
2004180073.tif 000008
【図７】
2004180073.tif 000009
【図８】
2004180073.tif 000010
【図９】
2004180073.tif 000011
【図１０】
2004180073.tif 000012